(57)【要約】【課題】  換気扇等の使用によって扉に引込み力が生じても当該扉が不用意に開かず、浴室外に水が出るという不都合が生じにくいグレビティヒンジを提供する。【解決手段】  本発明は、開口の周縁と当該開口を開閉する扉のいずれか一方に固定される第一部材と、それらの他方に固定される第二部材と、第一部材と第二部材の双方に挿入されて両者を上下動可能かつ水平回転可能に支持する軸部材を備えたグレビティヒンジにおいて、第一部材と第二部材の双方又はいずれか一方のカム部材の傾斜面に当該傾斜面を構成する他の部分よりも勾配が急な急勾配部が設けられ、扉の回転に際して他方のカム部材の一部が当該急勾配部に当接することによって、扉の引込み方向への回転が規制されるようにしたものである。【選択図】図１
2020029647.tif 000002
【特許請求の範囲】
【請求項１】
開口の周縁と当該開口を開閉する扉のいずれか一方に固定される第一部材と、それらの他方に固定される第二部材と、第一部材と第二部材の双方に挿入されて両者を上下動可能かつ水平回転可能に支持する軸部材を備えたグレビティヒンジにおいて、
前記第一部材と第二部材の双方又はいずれか一方のカム部材の傾斜面に、当該傾斜面を構成する他の部分よりも勾配が急な急勾配部が設けられ、
他方のカム部材の一部が当該急勾配部に当接することによって、扉の引込み方向への回転が規制される、
ことを特徴とするグレビティヒンジ。
【請求項２】
開口の周縁と当該開口を開閉する扉のいずれか一方に固定される第一部材と、それらの他方に固定される第二部材と、第一部材と第二部材の双方に挿入されて両者を上下動可能かつ水平回転可能に支持する軸部材を備えたグレビティヒンジにおいて、
前記第一部材は第一基体と当該第一基体に装備された第一カム部材を備え、
前記第二部材は第二基体と当該第二基体に装備された第二カム部材を備え、
前記第一カム部材及び第二カム部材の互いに対向する面にそれぞれ四つの傾斜面が設けられ、
前記第一カム部材の各傾斜面は、第一谷側傾斜部及び第一山側傾斜部と、当該第一谷側傾斜部及び第一山側傾斜部よりも勾配が急な中傾斜部を備え、
前記第二カム部材の各傾斜面は、第二谷側傾斜部及び第二山側傾斜部と、当該第二谷側傾斜部及び第二山側傾斜部よりも勾配が急な中傾斜部を備えている、
ことを特徴とするグレビティヒンジ。
【請求項３】
開口の周縁と当該開口を開閉する扉のいずれか一方に固定される第一部材と、それらの他方に固定される第二部材と、第一部材と第二部材の双方に挿入されて両者を上下動可能かつ水平回転可能に支持する軸部材を備えたグレビティヒンジにおいて、
前記第一部材は第一基体と当該第一基体に装備された第一カム部材を備え、
前記第二部材は第二基体と当該第二基体に装備された第二カム部材を備え、
前記第一カム部材のうち第二カム部材に対向する面には四つの傾斜面が設けられ、
前記第二カム部材のうち第一カム部材に対向する面には二つの係止山及び二つの偏平面が設けられ、
前記第一カム部材の各傾斜面は、谷側傾斜部と突山部と山側傾斜部を備え、
前記第一カム部材の谷側傾斜部の勾配は山側傾斜部よりも急である、
ことを特徴とするグレビティヒンジ。
【請求項４】
開口の周縁と当該開口を開閉する扉のいずれか一方に固定される第一部材と、それらの他方に固定される第二部材と、第一部材と第二部材の双方に挿入されて両者を上下動可能かつ水平回転可能に支持する軸部材を備えたグレビティヒンジにおいて、
前記第一部材は第一基体と当該第一基体に装備された第一カム部材を備え、
前記第二部材は第二基体と当該第二基体に装備された第二カム部材を備え、
前記第一カム部材及び第二カム部材の互いに対向する面には、それぞれ四つの傾斜面が設けられ、
前記第一カム部材の各傾斜面は、第一谷側傾斜部と第一つなぎ部と第一山側傾斜部を備え、
前記第一カム部材の第一谷側傾斜部の勾配は第一山側傾斜部よりも急であり、
前記第二カム部材の各傾斜面は、第二谷側傾斜部と第二つなぎ部と第二山側傾斜部を備え、
前記第二カム部材の第二谷側傾斜部の勾配は第二山側傾斜部よりも急である、
ことを特徴とするグレビティヒンジ。
【請求項５】
請求項１から請求項４のいずれか１項に記載のグレビティヒンジにおいて、
グレビティヒンジはガラス扉用である、
ことを特徴とするグレビティヒンジ。
【発明の詳細な説明】
【技術分野】
【０００１】
本発明は、グレビティヒンジに関するものである。
【背景技術】
【０００２】
浴室などで使用されるガラス扉の保持にはグレビティヒンジが用いられている（特許文献１）。従来のグレビティヒンジの説明図を図２４及び図２５（ａ）（ｂ）に示す。図２４において、Ａは扉枠Ｙに固定されるベース側部材、Ｂは扉Ｘに固定される扉側部材、Ｃはベース側部材Ａと扉側部材Ｂの双方に差し込まれる軸部材、Ｄは扉Ｘを保持する扉保持部材である。ベース側部材Ａにはベース側カム部材Ｅが、扉側部材Ｂには扉側カム部材Ｆが設けられている。図２５（ａ）（ｂ）に示すように、両カム部材Ｅ、Ｆの夫々の上面には、なだらかな四つの傾斜面Ｅ１〜Ｅ４及びＦ１〜Ｆ４（傾斜面Ｆ３は図示せず）が設けられている。傾斜面Ｅ１〜Ｅ４及びＦ１〜Ｆ４のそれぞれの勾配は、概ね１０度〜３０度の範囲で設定されている。
【先行技術文献】
【特許文献】
【０００３】
【特許文献１】特開２００７−４６２５２号公報
【発明の概要】
【発明が解決しようとする課題】
【０００４】
前記グレビティヒンジのベース側カム部材Ｅの上面及び扉側カム部材Ｆの底面は、凹凸のない傾斜面Ｅ１〜Ｅ４（Ｆ１〜Ｆ４）で構成されているため、扉の開閉をスムーズに行うことができる。一方で、浴室を換気するために換気扇を使用した場合等、扉に対して浴室の内側に引き込む力（以下「引込み力」という）が働くと、扉が開いて水が浴室外に出てしまうという難点があった。
【０００５】
本発明は前記事情に鑑みてなされたものであり、その解決課題は、扉のスムーズな開閉を確保しつつ、扉に引込み力が生じることによる不都合を解消することのできるグレビティヒンジを提供することにある。
【課題を解決するための手段】
【０００６】
本発明のグレビティヒンジは、開口の周縁と当該開口を開閉する扉のいずれか一方に固定される第一部材（例えば、ベース側部材）と、それらの他方に固定される第二部材（例えば、扉側部材）と、第一部材と第二部材の双方に挿入されて両者を上下動可能かつ水平回転可能に支持する軸部材を備えたグレビティヒンジにおいて、第一部材と第二部材の双方又はいずれか一方のカム部材の傾斜面に、当該傾斜面を構成する他の部分よりも勾配が急な急勾配部が設けられ、扉の回転に際して他方のカム部材の一部が当該急勾配部に当接することによって、扉の引込み方向への回転が規制されるようにしたものである。ここで、本願における「規制」とは反力（抵抗）が大きくなるという程度の意味である。
【発明の効果】
【０００７】
本発明のグレビティヒンジは、第一カム部材と第二カム部材のいずれかの傾斜面に、他の部分よりも勾配が急な急勾配部が設けられ、当該急勾配部によって扉の引込み方向への回転が規制されるようにしてあるため、換気扇の使用によって室内側に引込み力が生じても扉が開かず、水が浴室外に出るという不都合が生じにくい。また、傾斜面全面を急勾配にするのではなく、勾配が急でない部分（緩勾配部）を残してあるため、扉のスムーズな開閉を確保することができる。
【図面の簡単な説明】
【０００８】
【図１】本発明のグレビティヒンジの使用例を示す正面図。
【図２】本発明のグレビティヒンジの第一の実施形態を示す分解斜視図。
【図３】（ａ）は図２に示すグレビティヒンジのベース側カム部材の右上方斜視図、（ｂ）は図２に示すグレビティヒンジのベース側カム部材の左上方斜視図。
【図４】（ａ）は図３（ａ）（ｂ）に示すベース側カム部材の正面図、（ｂ）は（ａ）の背面図、（ｃ）は（ａ）の左側面図、（ｄ）は（ａ）の右側面図、（ｅ）は（ａ）の平面図、（ｆ）は（ａ）の底面図。
【図５】（ａ）は図２に示すグレビティヒンジの扉側カム部材の右下方斜視図、（ｂ）は図２に示すグレビティヒンジの扉側カム部材の左下方斜視図。
【図６】（ａ）は図５（ａ）（ｂ）に示す扉側カム部材の正面図、（ｂ）は（ａ）の背面図、（ｃ）は（ａ）の左側面図、（ｄ）は（ａ）の右側面図、（ｅ）は（ａ）の平面図、（ｆ）は（ａ）の底面図。
【図７】（ａ）はベース側収容部にベース側カム部材が圧入された状態を示す説明図、（ｂ）はベース側収容部に圧入されたベース側カム部材の上に扉側部材の扉側カム部材を配置した状態を示す説明図。
【図８】（ａ）は扉を閉じた状態のベース側カム部材と扉側カム部材の係合部分の説明図、（ｂ）は扉を１０度開いた状態のベース側カム部材と扉側カム部材の係合部分の説明図。
【図９】（ａ）は扉を７０度開いた状態のベース側カム部材と扉側カム部材の係合部分の説明図、（ｂ）は扉を９０度開いた状態のベース側カム部材と扉側カム部材の係合部分の説明図。
【図１０】（ａ）はグレビティヒンジの第二の実施形態におけるベース側カム部材の右上方斜視図、（ｂ）はグレビティヒンジの第二の実施形態におけるベース側カム部材の左上方斜視図。
【図１１】（ａ）は図１０（ａ）（ｂ）に示すベース側カム部材の正面図、（ｂ）は（ａ）の背面図、（ｃ）は（ａ）の左側面図、（ｄ）は（ａ）の右側面図、（ｅ）は（ａ）の平面図、（ｆ）は（ａ）の底面図。
【図１２】（ａ）はグレビティヒンジの第二の実施形態における扉側カム部材の右下方斜視図、（ｂ）はグレビティヒンジの第二の実施形態における扉側カム部材の左下方斜視図。
【図１３】（ａ）は図１２（ａ）（ｂ）に示す扉側カム部材の正面図、（ｂ）は（ａ）の背面図、（ｃ）は（ａ）の左側面図、（ｄ）は（ａ）の右側面図、（ｅ）は（ａ）の平面図、（ｆ）は（ａ）の底面図。
【図１４】（ａ）はベース側収容部に図１０（ａ）（ｂ）のベース側カム部材が圧入された状態を示す説明図、（ｂ）はベース側収容部に圧入されたベース側カム部材の上に扉側部材の扉側カム部材を配置した状態を示す説明図。
【図１５】（ａ）は扉を閉じた状態のベース側カム部材と扉側カム部材の係合部分の説明図、（ｂ）は扉を２０度開いた状態のベース側カム部材と扉側カム部材の係合部分の説明図。
【図１６】（ａ）は扉を７０度開いた状態のベース側カム部材と扉側カム部材の係合部分の説明図、（ｂ）は扉を９０度開いた状態のベース側カム部材と扉側カム部材の係合部分の説明図。
【図１７】（ａ）はグレビティヒンジの第三の実施形態におけるベース側カム部材の右上方斜視図、（ｂ）はグレビティヒンジの第三の実施形態におけるベース側カム部材の左上方斜視図。
【図１８】（ａ）は図１７（ａ）（ｂ）に示すベース側カム部材の正面図、（ｂ）は（ａ）の背面図、（ｃ）は（ａ）の左側面図、（ｄ）は（ａ）の右側面図、（ｅ）は（ａ）の平面図、（ｆ）は（ａ）の底面図。
【図１９】（ａ）はグレビティヒンジの第三の実施形態における扉側カム部材の右下方斜視図、（ｂ）はグレビティヒンジの第三の実施形態における扉側カム部材の左下方斜視図。
【図２０】（ａ）は図１９（ａ）（ｂ）に示す扉側カム部材の正面図、（ｂ）は（ａ）の背面図、（ｃ）は（ａ）の左側面図、（ｄ）は（ａ）の右側面図、（ｅ）は（ａ）の平面図、（ｆ）は（ａ）の底面図。
【図２１】（ａ）はベース側収容部に図１７（ａ）（ｂ）のベース側カム部材が圧入された状態を示す説明図、（ｂ）はベース側収容部に圧入されたベース側カム部材の上に扉側部材の扉側カム部材を配置した状態を示す説明図。
【図２２】（ａ）は扉を閉じた状態のベース側カム部材と扉側カム部材の係合部分の説明図、（ｂ）は扉を１０度開いた状態のベース側カム部材と扉側カム部材の係合部分の説明図。
【図２３】（ａ）は扉を７０度開いた状態のベース側カム部材と扉側カム部材の係合部分の説明図、（ｂ）は扉を９０度開いた状態のベース側カム部材と扉側カム部材の係合部分の説明図。
【図２４】従来のグレビティヒンジの一例を示す分解斜視図。
【図２５】（ａ）はベース側収容部に従来のベース側カム部材が圧入された状態を示すもの、（ｂ）はベース側収容部に圧入されたベース側カム部材の上に扉側部材の扉側カム部材を配置した状態を示すもの。
【発明を実施するための形態】
【０００９】
（実施形態１）
本発明のグレビティヒンジ１の第一の実施形態を、図１〜図９（ａ）（ｂ）を参照して説明する。この実施形態のグレビティヒンジ１は、各種扉、特に、浴室等の換気が必要な個室に設置されるガラス扉を保持するのに適するものである。図１において、１はグレビティヒンジ、Ｘは扉、Ｙは扉枠、Ｚは扉枠Ｙに設けられた戸当たりである。
【００１０】
図１に示すグレビティヒンジ１の分解図を図２に示す。図２において、３は扉枠Ｙに固定されるベース側部材、４は扉Ｘに固定される扉側部材、５はベース側部材３と扉側部材４の双方に差し込まれる軸部材、６は扉Ｘを保持する扉保持部材である。
【００１１】
図２に示すように、前記ベース側部材３は、扉枠Ｙに固定する基体（以下「ベース側基体」という）３１とカム部材（以下「ベース側カム部材」という）３２を備えている。ベース側基体３１は扉枠Ｙに固定する縦長平板状の固定部３１ａと、当該固定部３１ａの下半分に設けられた筒状部３１ｂを備えている。
【００１２】
固定部３１ａには、複数個（図示する例では三個）のビス穴３１ｃが設けられている。ベース側基体３１は当該ビス穴３１ｃに差し込んだビス３１ｄで扉枠Ｙに固定される。筒状部３１ｂには上面開口部３１ｆを備えたベース側収容部３１ｅが設けられ、当該ベース側収容部３１ｅにベース側カム部材３２が圧入されている。
【００１３】
図２及び図３（ａ）（ｂ）に示すように、前記ベース側カム部材３２は、ベース側収容部３１ｅに収まる圧入部３２ａと圧入部３２ａの上方に設けられた大径部３２ｂと大径部３２ｂの上方に設けられた鍔部３２ｃと鍔部３２ｃより上側に突出するカム部３２ｄを備えている。圧入部３２ａは軸部材５を挿入するための有底の挿入穴３２ｅを備えた筒状であり、その外周には縦長のリブ３２ｆが四本設けられている。
【００１４】
図３（ａ）（ｂ）及び図４（ａ）〜（ｆ）に示すように、ベース側カム部材３２のカム部３２ｄの上面には、連続する四つの傾斜面（以下、それぞれの傾斜面を「第一傾斜面３３」「第二傾斜面３４」「第三傾斜面３５」「第四傾斜面３６」という）が設けられ、それら傾斜面３３〜３６によって二つの山部（第一傾斜面３３と第二傾斜面３４で構成される第一山部及び第三傾斜面３５と第四傾斜面３６で構成される第二山部）と、二つの谷部（第四傾斜面３６と第一傾斜面３３で構成される第一谷部及び第二傾斜面３４と第三傾斜面３５で構成される第二谷部）が形成されている。第一傾斜面３３と第二傾斜面３４の間には第一山部の第一頂部Ｔ１が、第三傾斜面３５と第四傾斜面３６の間には第二山部の第二頂部Ｔ２が、第四傾斜面３６と第一傾斜面３３の間には第一底部Ｂ１が、第二傾斜面３４と第三傾斜面３５の間には第二底部Ｂ２が形成されている。
【００１５】
前記傾斜面３３〜３６の夫々は、谷側傾斜部３３ａ、３４ａ、３５ａ、３６ａ、中傾斜部３３ｂ、３４ｂ、３５ｂ、３６ｂ、及び山側傾斜部３３ｃ、３４ｃ、３５ｃ、３６ｃを備えている。中傾斜部３３ｂ、３４ｂ、３５ｂ、３６ｂは、谷側傾斜部３３ａ、３４ａ、３５ａ、３６ａ及び山側傾斜部３３ｃ、３４ｃ、３５ｃ、３６ｃよりも急勾配としてある。具体的には、谷側傾斜部３３ａ、３４ａ、３５ａ、３６ａの勾配を２２度程度、中傾斜部３３ｂ、３４ｂ、３５ｂ、３６ｂの勾配を６０度程度、山側傾斜部３３ｃ、３４ｃ、３５ｃ、３６ｃの勾配を２２度程度としてある。この実施形態では、中傾斜部３３ｂ、３４ｂ、３５ｂ、３６ｂが急勾配部に当たる。この実施形態では、中傾斜部３３ｂ、３４ｂ、３５ｂ、３６ｂを、それぞれの傾斜面３３〜３６の山側傾斜部３３ｃ、３４ｃ、３５ｃ、３６ｃ寄りの位置に設けてあるが、中傾斜部３３ｂ、３４ｂ、３５ｂ、３６ｂは、図示した位置と異なる位置に設けることもできる。
【００１６】
なお、前記各傾斜部の角度は一例であり、これ以外の角度とすることができる。例えば、緩勾配部（この実施形態では、谷側傾斜部３３ａ、３４ａ、３５ａ、３６ａ及び山側傾斜部３３ｃ、３４ｃ、３５ｃ、３６ｃ）の勾配は１５度〜４５度の任意角度とすることができ、急勾配部（この実施形態では、中傾斜部３３ｂ、３４ｂ、３５ｂ、３６ｂ）は前記緩勾配部よりも急な勾配であることを前提に４５度〜７５度の任意角度とすることができる。各傾斜部の勾配は、扉のせり上がり幅（扉を開ける際の当該扉の上昇幅）に配慮して設定する必要がある。例えば、せり上がり幅の上限が５ｍｍ以下に設定されている場合には、扉が５ｍｍを超えて上下動することがないように各傾斜部の勾配を設定し、せり上がり幅の上限が８ｍｍ以下に設定されている場合には、扉が８ｍｍを超えて上下動することがないように各傾斜部の勾配を設定する。いずれの場合も、扉側カム部材４２のカム部４２ｃの形状（各傾斜面の勾配）に適合する形状となるように配慮する。
【００１７】
前記扉側部材４は、図２に示すように、扉Ｘに取り付ける扉側基体４１と当該扉側基体４１の筒状部４１ｂに圧入される扉側カム部材４２を備えている。扉側基体４１は扉Ｘに固定する縦長平板状の固定部４１ａと、当該固定部４１ａの側方に設けられた筒状部４１ｂを備えている。固定部４１ａの裏面側には、筒状のビス受け部４１ｃが上下方向に間隔をあけて二つ突設されている。筒状部４１ｂには底面開口部４１ｆを備えた扉側収容部４１ｅが設けられ、当該扉側収容部４１ｅに扉側カム部材４２が圧入されている。
【００１８】
前記扉側カム部材４２は、図２及び図５（ａ）（ｂ）に示すように、扉側収容部４１ｅに収まる圧入部４２ａと圧入部４２ａの下方に設けられた鍔部４２ｂと鍔部４２ｂより下側に突出するカム部４２ｃを備えている。圧入部４２ａは軸部材５を挿入するための有底の挿入穴４２ｄを備えた筒状であり、その外周には縦長のリブ４２ｅが四本設けられている。
【００１９】
扉側カム部材４２のカム部４２ｃは、連続する四つの傾斜面（以下、それぞれの傾斜面を「第一傾斜面４３」「第二傾斜面４４」「第三傾斜面４５」「第四傾斜面４６」という）が設けられ、それら傾斜面４３〜４６によって二つの山部（第一傾斜面４３と第二傾斜面４４で構成される第一山部及び第三傾斜面４５と第四傾斜面４６で構成される第二山部）と、二つの谷部（第四傾斜面４６と第一傾斜面４３で構成される第一谷部及び第二傾斜面４４と第三傾斜面４５で構成される第二谷部）が形成されている。第一傾斜面４３と第二傾斜面４４の間には第一山部の第一頂部Ｔ１が、第三傾斜面４５と第四傾斜面４６の間には第二山部の第二頂部Ｔ２が、第四傾斜面４６と第一傾斜面４３の間には第一底部Ｂ１が、第二傾斜面４４と第三傾斜面４５の間には第二底部Ｂ２が形成されている。
【００２０】
前記傾斜面４３〜４６の夫々は、谷側傾斜部４３ａ、４４ａ、４５ａ、４６ａ、中傾斜部４３ｂ、４４ｂ、４５ｂ、４６ｂ、及び山側傾斜部４３ｃ、４４ｃ、４５ｃ、４６ｃを備えている。中傾斜部４３ｂ、４４ｂ、４５ｂ、４６ｂは、谷側傾斜部４３ａ、４４ａ、４５ａ、４６ａ及び山側傾斜部４３ｃ、４４ｃ、４５ｃ、４６ｃよりも勾配を急にしてある。具体的には、谷側傾斜部４３ａ、４４ａ、４５ａ、４６ａの勾配を２２度程度、中傾斜部４３ｂ、４４ｂ、４５ｂ、４６ｂの勾配を６０度程度、山側傾斜部４３ｃ、４４ｃ、４５ｃ、４６ｃの勾配を２２度程度としてある。この実施形態では、中傾斜部４３ｂ、４４ｂ、４５ｂ、４６ｂが急勾配部に当たる。この実施形態では、中傾斜部４３ｂ、４４ｂ、４５ｂ、４６ｂを、それぞれの傾斜面４３〜４６の谷側傾斜部４３ａ、４４ａ、４５ａ、４６ａ寄りの位置に設けてあるが、中傾斜部４３ｂ、４４ｂ、４５ｂ、４６ｂは、図示した位置と異なる位置に設けることもできる。
【００２１】
なお、前記各傾斜部の角度は一例であり、これ以外の角度とすることができる。例えば、緩勾配部（この実施形態では、谷側傾斜部４３ａ、４４ａ、４５ａ、４６ａ及び山側傾斜部４３ｃ、４４ｃ、４５ｃ、４６ｃ）の勾配は１５度〜４５度の任意角度とすることができ、急勾配部（この実施形態では、中傾斜部４３ｂ、４４ｂ、４５ｂ、４６ｂ）は前記緩勾配部よりも急な勾配であることを前提に４５度〜７５度の任意角度とすることができる。各傾斜部の勾配は、扉のせり上がり幅に配慮して設定する必要がある。例えば、せり上がり幅の上限が５ｍｍ以下に設定されている場合には、扉が５ｍｍを超えて上下動することがないように各傾斜部の勾配を設定し、せり上がり幅の上限が８ｍｍ以下に設定されている場合には、扉が８ｍｍを超えて上下動することがないように各傾斜部の勾配を設定する。いずれの場合も、ベース側カム部材３２のカム部３２ｄの形状（各傾斜面の勾配）に適合する形状となるように配慮する。
【００２２】
前記軸部材５は、ベース側部材３と扉側部材４を連結するものである。一例として図２に示す軸部材５は縦長の棒状部材である。軸部材５の一端側（図２に示す例では上端側）は先細りのテーパー状にしてある。軸部材５はその長手方向の下側半分程度がベース側カム部材３２の挿入穴３２ｅ内に収容され、残りの部分が扉側カム部材４２の挿入穴４２ｄ内に収容される。両挿入穴３２ｅ、４２ｄに挿入された軸部材５は、両挿入穴３２ｅ、４２ｄ内で固定されるわけではなく、回転可能な状態で挿入されている。
【００２３】
前記扉保持部材６は扉側部材４の固定部４１ａと協働して扉Ｘを保持するための部材である。一例として図２に示す扉保持部材６は、扉Ｘの両面に宛がわれる二枚の板状パッキン６１と、ビス受け部４１ｃの外周に被さる二つの筒状パッキン６２と、扉側部材４の固定部４１ａと扉Ｘを挟んで反対側に配置される挟持片６３と、固定部４１ａ、板状パッキン６１、扉Ｘ、板状パッキン６１及び挟持片６３を固定する二つの固定ビス６４と、固定ビス６４の固定時に介材させるワッシャ６５と、挟持片６３に被せるカバー６６を備えている。
【００２４】
前記板状パッキン６１は固定部４１ａと同程度の大きさのゴム材であり、扉Ｘの表面及び裏面に宛がわれる部材である。板状パッキン６１の形状は一例であり、これ以外であってもよい。板状パッキン６１には、樹脂製のものやビニール製のものなどゴム製以外のものを用いることもできる。二枚の板状パッキン６１には、固定ビス６４が通過可能な貫通孔６１ａが上下方向に間隔をあけて設けられている。貫通孔６１ａの位置や数は、扉Ｘに合わせて決定すればよい。
【００２５】
前記筒状パッキン６２はビス受け部４１ｃの外側に被せて、扉Ｘに設けられた貫通孔（図示しない）に収まる部材である。筒状パッキン６２により、扉Ｘに設けられた貫通孔の周縁とビス受け部４１ｃに係る衝撃が吸収される。筒状パッキン６２には樹脂製のものやビニール製のもの、ゴム製のもの等を用いることができる。
【００２６】
前記挟持片６３は、扉側部材４の固定部４１ａの反対側から扉Ｘに宛がって、固定部４１ａと協同して扉Ｘを挟持するものである。一例として図２に示す挟持片６３は板状パッキン６１と同形状の縦長の薄板材である。挟持片６３には、前記固定ビス６４が通過可能な貫通孔６３ａが上下方向に間隔をあけて設けられている。貫通孔６３ａの位置や数は、扉Ｘに合わせて決定すればよい。
【００２７】
前記カバー６６は挟持片６３に被せる部材である。一例として図２に示すカバーは挟持片６３の外側面及び外周面に被さる縦長の皿状である。固定ビス６４での固定後、挟持片６３にカバー６６を被せることで、固定ビス６４などを隠すことができる。
【００２８】
以上の構成からなる扉保持部材６を用いる場合、図２に示すように、扉Ｘの両外側に板状パッキン６１を配置し、板状パッキン６１の外側を固定部４１ａ及び挟持片６３で挟みこんだ状態で、挟持片６３の外側から差し込まれる固定ビス６４を扉側部材４のビス受け部４１ｃにねじ込むことで、扉Ｘを保持することができる。
【００２９】
（実施形態１のグレビティヒンジの動作）
この実施形態のグレビティヒンジ１の動作を、図８（ａ）（ｂ）及び図９（ａ）（ｂ）を参照して説明する。図８（ａ）は扉Ｘを閉じた状態のグレビティヒンジ１を示すもの、図８（ｂ）は扉Ｘを１０度開いた状態のグレビティヒンジ１を示すもの、図９（ａ）は扉Ｘを７０度開いた状態のグレビティヒンジ１を示すもの、図９（ｂ）は扉Ｘを９０度開いた状態のグレビティヒンジ１を示すものである。
【００３０】
扉Ｘが閉じた状態では、扉側カム部材４２の第二傾斜面４４の中傾斜部４４ｂがベース側カム部材３２の第一傾斜面３３の中傾斜部３３ｂに突き当たっている（図８（ａ））。この状態から扉Ｘを１０度まで開くと、第二傾斜面４４の中傾斜部４４ｂがベース側カム部材３２の第一傾斜面３３の中傾斜部３３ｂを乗り越え、山側傾斜部３３ｃに乗り上げる（図８（ｂ））。さらに扉Ｘを７０度まで開くと、扉側カム部材４２の第一頂部Ｔ１がベース側カム部材３２の第一頂部Ｔ１上に到達する（図９（ａ））。この状態から扉Ｘを９０度まで開くと、扉側カム部材４２の第一頂部Ｔ１がベース側カム部材３２の第一頂部Ｔ１を乗り越えて、ベース側カム部材３２の第二傾斜面３４の山側傾斜部３４ｃに沿って下がっていく（図９（ｂ））。
【００３１】
以上のように動作するグレビティヒンジ１で保持される扉Ｘは、閉じた状態からベース側カム部材３２の第一傾斜面３３の中傾斜部３３ｂ（急勾配部）を乗り越えるまでの間に大きな反力がかかって扉Ｘが開きにくくなり、当該中傾斜部３３ｂを越えて山側傾斜部３３ｃに入ると、反力が小さくなって扉Ｘが開きやすくなる。したがって、急勾配部の角度を、換気扇の使用により生じる引込み力では越えられないような角度としておくことで、換気扇の使用時に不用意に扉Ｘが開くのを防止することができる。また、この実施形態では、各傾斜面に緩勾配部を設けているため、傾斜面全面を急勾配とする場合に比して扉の開けやすさが阻害されにくい。さらに、傾斜面全面を急勾配とした場合には扉が過剰に上下動するおそれがあるが、この実施形態では各傾斜面に緩勾配部を設けているため、そのような心配もない。
【００３２】
なお、扉Ｘを閉じた状態（図８（ａ））で扉側カム部材４２がベース側カム部材３２の第一傾斜面３３（谷側傾斜部３３ａ）に沿って下がらないのは、図１のように、扉Ｘが扉枠Ｙの戸当たりＺに突き当たってそれ以上回転しないからである。また、扉Ｘを９０度開いた状態（図９（ｂ））で扉側カム部材４２がベース側カム部材３２の第四傾斜面３６（山側傾斜部３６ｃ）に沿って下がらないのは、扉Ｘが図示しない戸当たりに突き当たってそれ以上回転しないからである。
【００３３】
（実施形態２）
本発明のグレビティヒンジ１の第二の実施形態を、図１０（ａ）（ｂ）〜図１６（ａ）（ｂ）を参照して説明する。この実施形態のグレビティヒンジ１の基本的な構成は前記実施形態１と同様である。異なるのは、ベース側カム部材３２のカム部３２ｄ及び扉側カム部材４２のカム部４２ｃの構造である。以下では、実施形態１と異なる部分を中心に説明し、共通する部分については適宜その説明を省略する。
【００３４】
図１０（ａ）（ｂ）及び図１１（ａ）〜（ｆ）に示すように、この実施形態のベース側カム部材３２のカム部３２ｄ上面には、連続する四つの傾斜面（第一傾斜面３３、第二傾斜面３４、第三傾斜面３５及び第四傾斜面３６）が設けられ、それら傾斜面３３〜３６によって二つの山部（第一傾斜面３３と第二傾斜面３４で構成される第一山部及び第三傾斜面３５と第四傾斜面３６で構成される第二山部）と、二つの谷部（第四傾斜面３６と第一傾斜面３３で構成される第一谷部及び第二傾斜面３４と第三傾斜面３５で構成される第二谷部）が形成されている。第一傾斜面３３と第二傾斜面３４の間には第一山部の第一頂部Ｔ１が、第三傾斜面３５と第四傾斜面３６の間には第二山部の第二頂部Ｔ２が、第四傾斜面３６と第一傾斜面３３の間には第一底部Ｂ１が、第二傾斜面３４と第三傾斜面３５の間には第二底部Ｂ２が形成されている。
【００３５】
前記傾斜面３３〜３６の夫々は、谷側傾斜部３３ａ、３４ａ、３５ａ、３６ａ、突山部３３ｄ、３４ｄ、３５ｄ、３６ｄ、及び山側傾斜部３３ｃ、３４ｃ、３５ｃ、３６ｃを備えている。谷側傾斜部３３ａ、３４ａ、３５ａ、３６ａは、山側傾斜部３３ｃ、３４ｃ、３５ｃ、３６ｃよりも勾配を急にしてある。具体的には、谷側傾斜部３３ａ、３４ａ、３５ａ、３６ａの勾配を６０度程度、山側傾斜部３３ｃ、３４ｃ、３５ｃ、３６ｃの勾配を２２度程度としてある。突山部３３ｄ、３４ｄ、３５ｄ、３６ｄは、谷側傾斜部３３ａ、３４ａ、３５ａ、３６ａと山側傾斜部３３ｃ、３４ｃ、３５ｃ、３６ｃの間に形成された山形状の部分である。突山部３３ｄ、３４ｄ、３５ｄ、３６ｄと山側傾斜部３３ｃ、３４ｃ、３５ｃ、３６ｃの間には、突山部３３ｄ、３４ｄ、３５ｄ、３６ｄよりも一段低い中腹谷部３３ｅ、３４ｅ、３５ｅ、３６ｅが形成されている。この実施形態では、突山部３３ｄ、３４ｄ、３５ｄ、３６ｄを、それぞれの傾斜面３３〜３６の山側傾斜部３３ｃ、３４ｃ、３５ｃ、３６ｃ寄りの位置に設けてあるが、突山部３３ｄ、３４ｄ、３５ｄ、３６ｄは、図示した位置と異なる位置に設けることもできる。
【００３６】
なお、前記各傾斜部の角度は一例であり、これ以外の角度とすることができる。例えば、緩勾配部（この実施形態では、山側傾斜部３３ｃ、３４ｃ、３５ｃ、３６ｃ）の勾配は１５度〜４５度の任意角度とすることができ、急勾配部（この実施形態では、谷側傾斜部３３ａ、３４ａ、３５ａ、３６ａ）は前記緩勾配部よりも急な勾配であることを前提に４５度〜７５度の任意角度とすることができる。各傾斜部の勾配は、扉のせり上がり幅に配慮して設定する必要がある。例えば、せり上がり幅の上限が５ｍｍ以下に設定されている場合には、扉が５ｍｍを超えて上下動することがないように各傾斜部の勾配を設定し、せり上がり幅の上限が８ｍｍ以下に設定されている場合には、扉が８ｍｍを超えて上下動することがないように各傾斜部の勾配を設定する。いずれの場合も、扉側カム部材４２のカム部４２ｃの形状（各傾斜面の勾配）に適合する形状となるように配慮する。
【００３７】
前記扉側カム部材４２は、図１２（ａ）（ｂ）及び図１３（ａ）〜（ｆ）に示すように、扉側収容部４１ｅに収まる圧入部４２ａと圧入部４２ａの下方に設けられた鍔部４２ｂと鍔部４２ｂより下側に突出するカム部４２ｃを備えている。圧入部４２ａは軸部材５を挿入するための有底の挿入穴４２ｄを備えた筒状であり、その外周には縦長のリブ４２ｅが四本設けられている。
【００３８】
この実施形態の扉側カム部材４２のカム部４２ｃは、二つの係止山（第一係止山４７ａ及び第二係止山４７ｂ）と、それら二つの係止山４７ａ、４７ｂの間に形成された二つの偏平面（第一偏平面４８ａ及び第二偏平面４８ｂ）を備えている。両係止山４７ａ、４７ｂを構成する両斜面は、谷側傾斜部３３ａ、３４ａ、３５ａ、３６ａと面接触する角度（具体的には６０度程度）としてある。両係止山４７ａ、４７ｂの高さは、ベース側カム部材３２の第一谷部や第二谷部の深さより低くしてあり、両係止山４７ａ、４７ｂがベース側カム部材３２の第一谷部や第二谷部に収まったときに、当該両係止山４７ａ、４７ｂの先端４７ｃが当該ベース側カム部材３２の第一底部Ｂ１や第二底部Ｂ２に触れないようにしてある。両係止山４７ａ、４７ｂは、一方（例えば第一係止山４７ａ）がベース側カム部材３２の第一谷部に収まったときに、他方（例えば第二係止山４７ｂ）が当該ベース側カム部材３２の第二谷部に収まる位置に設けてある。なお、前記両係止山４７ａ、４７ｂを構成する両斜面の角度は一例であり、ベース側カム部材３２のカム部３２ｄの形状（各傾斜面の勾配）に応じて適宜の角度とすることができる。
【００３９】
（実施形態２のグレビティヒンジの動作）
この実施形態のグレビティヒンジ１の動作を、図１５（ａ）（ｂ）及び図１６（ａ）（ｂ）を参照して説明する。図１５（ａ）は扉Ｘを閉じた状態を示すもの、図１５（ｂ）は扉Ｘを２０度開いた状態を示すもの、図１６（ａ）は扉Ｘを７０度開いた状態を示すもの、図１６（ｂ）は扉Ｘを９０度開いた状態を示すものである。
【００４０】
扉Ｘが閉じた状態では扉側カム部材４２の第一係止山４７ａを構成する斜面がベース側カム部材３２の突山部３３ｄに当接している（図１５（ａ））。この状態から扉Ｘを２０度まで開くと、扉側カム部材４２の第一係止山４７ａがベース側カム部材３２の突山部３３ｄを乗り超える（図１５（ｂ））。さらに扉Ｘを７０度まで開くと、扉側カム部材４２の第一係止山４７ａの先端４７ｃがベース側カム部材３２の第一頂部Ｔ１に到達する（図１６（ａ））。この状態から扉Ｘを９０度まで開くと、扉側カム部材４２の第一係止山４７ａがベース側カム部材３２の第一頂部Ｔ１を乗り越えて、扉側カム部材４２が第二傾斜面３４の山側傾斜部３４ｃに沿って下がっていく（図１６（ｂ））。
【００４１】
なお、扉Ｘを閉じた状態（図１５（ａ））で扉側カム部材４２がベース側カム部材３２の第一傾斜面３３（谷側傾斜部３３ａ）に沿って下がらないのは、図１のように、扉Ｘが扉枠Ｙの戸当たりＺに突き当たってそれ以上回転しないからである。また、扉Ｘを９０度開いた状態（図１６（ｂ））で扉側カム部材４２がベース側カム部材３２の第四傾斜面３６（山側傾斜部３６ｃ）に沿って下がらないのは、扉Ｘが図示しない戸当たりに突き当たってそれ以上回転しないからである。
【００４２】
以上のように動作するグレビティヒンジ１で保持される扉Ｘは、２０度までは軽い力では開かず、２０度以上開けるためには、谷側傾斜部３３ａをのり越えられる程度の力を掛けなければそれ以上開けることは出来ない。したがって、急勾配部（谷側傾斜部３３ａ）の角度を、換気扇の使用により生じる引込み力では越えられないような角度としておくことで、換気扇の使用時に不用意に扉Ｘが開くのを防止することができる。実施形態１と同様、この実施形態でも、各傾斜面に緩勾配部を設けているため、傾斜面全面を急勾配とする場合に比して扉の開けやすさが阻害されにくい。さらに、傾斜面全面を急勾配とした場合には扉が過剰に上下動するおそれがあるが、この実施形態では各傾斜面に緩勾配部を設けているため、そのような心配もない。
【００４３】
（実施形態３）
本発明のグレビティヒンジ１の第三の実施形態を、図１７（ａ）（ｂ）〜図２３（ａ）（ｂ）を参照して説明する。この実施形態のグレビティヒンジの基本的な構成は前記実施形態１と同様である。異なるのは、ベース側カム部材３２のカム部３２ｄと扉側カム部材４２のカム部４２ｃの構造である。以下では、実施形態１と異なる部分を中心に説明し、共通する部分については適宜その説明を省略する。
【００４４】
図１７（ａ）（ｂ）及び図１８（ａ）〜（ｆ）に示すように、この実施形態のカム部３２ｄの上面には、四つの傾斜面（第一傾斜面３３、第二傾斜面３４、第三傾斜面３５及び第四傾斜面３６）及び二つの平坦部（以下、それぞれの平坦部を「第一平坦部３７ａ」「第二平坦部３７ｂ」という）が設けられている。この実施形態では、第一傾斜面３３と第二傾斜面３４で第一山部が、第三傾斜面３５と第四傾斜面３６で第二山部が形成されている。第一傾斜面３３と第二傾斜面３４の間には第一山部の第一頂部Ｔ１が、第三傾斜面３５と第四傾斜面３６の間には第二山部の第二頂部Ｔ２が形成され、第四傾斜面３６と第一傾斜面３３の間には第一平坦部３７ａ（第一底部Ｂ１）が、第二傾斜面３４と第三傾斜面３５の間には第二平坦部３７ｂ（第二底部Ｂ２）が形成されている。
【００４５】
前記傾斜面３３〜３６の夫々は、谷側傾斜部３３ａ、３４ａ、３５ａ、３６ａ、つなぎ部３３ｆ、３４ｆ、３５ｆ、３６ｆ、及び山側傾斜部３３ｃ、３４ｃ、３５ｃ、３６ｃを備えている。この実施形態では、谷側傾斜部３３ａ、３４ａ、３５ａ、３６ａの勾配を、山側傾斜部３３ｃ、３４ｃ、３５ｃ、３６ｃよりも急にしてある。具体的には、谷側傾斜部３３ａ、３４ａ、３５ａ、３６ａの勾配を６０度程度、山側傾斜部３３ｃ、３４ｃ、３５ｃ、３６ｃの勾配を２２度程度としてある。この実施形態では、谷側傾斜部３３ａ、３４ａ、３５ａ、３６ａが急勾配部に当たる。この実施形態では、つなぎ部３３ｆ、３４ｆ、３５ｆ、３６ｆを、それぞれの傾斜面３３〜３６の山側傾斜部３３ｃ、３４ｃ、３５ｃ、３６ｃ寄りの位置に設けてあるが、つなぎ部３３ｆ、３４ｆ、３５ｆ、３６ｆは、図示した位置と異なる位置に設けることもできる。
【００４６】
なお、前記各傾斜部の角度は一例であり、これ以外の角度とすることができる。例えば、緩勾配部（この実施形態では、山側傾斜部３３ｃ、３４ｃ、３５ｃ、３６ｃ）の勾配は１５度〜４５度の任意角度とすることができ、急勾配部（この実施形態では、谷側傾斜部３３ａ、３４ａ、３５ａ、３６ａ）は前記緩勾配部よりも急な勾配であることを前提に４５度〜７５度の任意角度とすることができる。各傾斜部の勾配は、扉のせり上がり幅に配慮して設定する必要がある。例えば、せり上がり幅の上限が５ｍｍ以下に設定されている場合には、扉が５ｍｍを超えて上下動することがないように各傾斜部の勾配を設定し、せり上がり幅の上限が８ｍｍ以下に設定されている場合には、扉が８ｍｍを超えて上下動することがないように各傾斜部の勾配を設定する。いずれの場合も、扉側カム部材４２のカム部４２ｃの形状（各傾斜面の勾配）に適合する形状となるように配慮する。
【００４７】
前記第一平坦部３７ａは実施形態１における第一底部Ｂ１に相当する部分であり、第一傾斜面３３の谷側傾斜部３３ａと第四傾斜面３６の谷側傾斜部３６ａの間に形成された面状部分である。前記第二平坦部３７ｂは実施形態１における第二底部Ｂ２に相当する部分であり、第二傾斜面３４の谷側傾斜部３４ａと第三傾斜面３５の谷側傾斜部３５ａの間に形成された面状部分である。
【００４８】
図１９（ａ）（ｂ）及び図２０（ａ）〜（ｆ）に示すように、この実施形態の扉側カム部材４２のカム部４２ｃは、四つの傾斜面（第一傾斜面４３、第二傾斜面４４、第三傾斜面４５及び第四傾斜面４６）及び二つの平坦部（以下、それぞれの平坦部を「第一平坦部４９ａ」「第二平坦部４９ｂ」という）が設けられている。この実施形態では、第一傾斜面４３と第二傾斜面４４で第一山部が、第三傾斜面４５と第四傾斜面４６で第二山部が形成されている。第一傾斜面４３と第二傾斜面４４の間には第一山部の第一頂部Ｔ１が、第三傾斜面４５と第四傾斜面４６の間には第二山部の第二頂部Ｔ２が、第四傾斜面４６と第一傾斜面４３の間には第一平坦部４９ａ（第一底部Ｂ１）が、第二傾斜面４４と第三傾斜面４５の間には第二平坦部４９ｂ（第二底部Ｂ２）が形成されている。
【００４９】
前記傾斜面４３〜４６の夫々は、谷側傾斜部４３ａ、４４ａ、４５ａ、４６ａ、つなぎ部４３ｄ、４４ｄ、４５ｄ、４６ｄ、及び山側傾斜部４３ｃ、４４ｃ、４５ｃ、４６ｃを備えている。谷側傾斜部４３ａ、４４ａ、４５ａ、４６ａは、山側傾斜部４３ｃ、４４ｃ、４５ｃ、４６ｃよりも勾配を急にしてあり、山側傾斜部４３ｃ、４４ｃ、４５ｃ、４６ｃは、つなぎ部４３ｄ、４４ｄ、４５ｄ、４６ｄよりも勾配を急にしてある。具体的には、谷側傾斜部４３ａ、４４ａ、４５ａ、４６ａの勾配を６０度程度、山側傾斜部４３ｃ、４４ｃ、４５ｃ、４６ｃの勾配を２２度程度としてある。この実施形態では、谷側傾斜部４３ａ、４４ａ、４５ａ、４６ａが急勾配部に当たる。この実施形態では、つなぎ部４３ｄ、４４ｄ、４５ｄ、４６ｄを、それぞれの傾斜面４３〜４６の谷側傾斜部４３ａ、４４ａ、４５ａ、４６ａ寄りの位置に設けてあるが、つなぎ部４３ｄ、４４ｄ、４５ｄ、４６ｄは、図示した位置と異なる位置に設けることもできる。
【００５０】
なお、前記各傾斜部の角度は一例であり、これ以外の角度とすることができる。例えば、緩勾配部（この実施形態では、山側傾斜部４３ｃ、４４ｃ、４５ｃ、４６ｃ）の勾配は１５度〜４５度の任意角度とすることができ、急勾配部（この実施形態では、谷側傾斜部４３ａ、４４ａ、４５ａ、４６ａ）は前記緩勾配部よりも急な勾配であることを前提に４５度〜７５度の任意角度とすることができる。各傾斜部の勾配は、扉のせり上がり幅に配慮して設定する必要がある。例えば、せり上がり幅の上限が５ｍｍ以下に設定されている場合には、扉が５ｍｍを超えて上下動することがないように各傾斜部の勾配を設定し、せり上がり幅の上限が８ｍｍ以下に設定されている場合には、扉が８ｍｍを超えて上下動することがないように各傾斜部の勾配を設定する。いずれの場合も、ベース側カム部材３２のカム部３２ｄの形状（各傾斜面の勾配）に適合する形状となるように配慮する。
【００５１】
前記第一平坦部４９ａは実施形態１における第一底部Ｂ１に相当する部分であり、第一傾斜面４３の谷側傾斜部４３ａと第四傾斜面４６の谷側傾斜部４６ａの間に形成された面状部分である。前記第二平坦部４９ｂは実施形態１における第二底部Ｂ２に相当する部分であり、第二傾斜面４４の谷側傾斜部４４ａと第三傾斜面４５の谷側傾斜部４５ａの間に形成された面状部分である。
【００５２】
（実施形態３のグレビティヒンジの動作）
この実施形態のグレビティヒンジの動作を、図２２（ａ）（ｂ）及び図２２（ａ）（ｂ）を参照して説明する。図２２（ａ）は扉Ｘを閉じた状態を示すもの、図２３（ｂ）は扉Ｘを１０度開いた状態を示すもの、図２３（ａ）は扉Ｘを７０度開いた状態を示すもの、図２３（ｂ）は扉Ｘを９０度開いた状態を示すものである。
【００５３】
扉Ｘが閉じた状態では扉側カム部材４２の第二傾斜面４４の谷側傾斜部４４ａがベース側カム部材３２の第一傾斜面３３の谷側傾斜部３３ａに突き当たっている（図２２（ａ））。この状態から扉Ｘを１０度まで開くと、第二傾斜面４４の谷側傾斜部４４ａが第一傾斜面３３の谷側傾斜部３３ａを乗り越える（図２２（ｂ））。さらに扉Ｘを７０度まで開くと、扉側カム部材４２の第一頂部Ｔ１がベース側カム部材３２の第一頂部Ｔ１に到達する（図２３（ａ））。この状態から扉Ｘを９０度まで開くと、扉側カム部材４２の第一頂部Ｔ１がベース側カム部材３２の第一頂部Ｔ１を乗り越えて、ベース側カム部材３２の第二傾斜面３４（山側傾斜部３４ｃ）に沿って下がっていく（図２３（ｂ））。
【００５４】
なお、扉Ｘを閉じた状態（図２２（ａ））で扉側カム部材４２がベース側カム部材３２の第一傾斜面３３（谷側傾斜部３３ａ）に沿って下がらないのは、図１のように、扉Ｘが扉枠Ｙの戸当たりＺに突き当たってそれ以上回転しないからである。また、扉Ｘを９０度開いた状態（図２３（ｂ））で扉側カム部材４２がベース側カム部材３２の第四傾斜面３６（山側傾斜部３６ｃ）に沿って下がらないのは、扉Ｘが図示しない戸当たりＺに突き当たってそれ以上回転しないからである。
【００５５】
以上のように動作するグレビティヒンジ１で保持される扉Ｘは、閉じた状態から急勾配部（谷側傾斜部３３ａ）を乗り越えるまでの間に大きな反力がかかって扉Ｘが開きにくくなり、急勾配部を越えて山側傾斜部３３ｃに入ると、反力が小さくなって扉Ｘが開きやすくなる。したがって、急勾配部の角度を、換気扇の使用により生じる引込み力では越えられないような角度としておくことで、換気扇の使用時に不用意に扉Ｘが開くのを防止することができる。実施形態１及び２と同様、この実施形態でも、各傾斜面に緩勾配部を設けているため、傾斜面全面を急勾配とする場合に比して扉の開けやすさが阻害されにくい。さらに、傾斜面全面を急勾配とした場合には扉が過剰に上下動するおそれがあるが、この実施形態では各傾斜面に緩勾配部を設けているため、そのような心配もない。
【００５６】
（その他の実施形態）
前記実施形態１〜３において、ベース側カム部材３２と扉側カム部材４２の構成は、逆にすることもできる。具体的には、ベース側カム部材３２の構成を扉側カム部材４２の構成として採用し、扉側カム部材４２の構成をベース側カム部材３２の構成として採用することができる。
【００５７】
本発明のグレビティヒンジ１は、前記実施形態１〜３に記載の構成に限定されるものではなく、ベース側カム部材３２と扉側カム部材４２のいずれか一方に、急勾配部を備えており、その急勾配部によって扉Ｘの引込み方向への回転が規制される構成である限り、実施形態１〜３に記載以外の構成とすることもできる。
【産業上の利用可能性】
【００５８】
本発明のグレビティヒンジ１は、浴室のほか、換気手段による換気が必要な個室に設置される扉用のヒンジ部材として好適に利用することができる。
【符号の説明】
【００５９】
１      グレビティヒンジ
３      ベース側部材
３１    ベース側基体
３１ａ  固定部
３１ｂ  筒状部
３１ｃ  ビス穴
３１ｄ  ビス
３１ｅ  ベース側収容部
３１ｆ  上面開口部
３２    ベース側カム部材
３２ａ  圧入部
３２ｂ  大径部
３２ｃ  鍔部
３２ｄ  カム部
３２ｅ  挿入穴
３２ｆ  リブ
３３    第一傾斜面
３３ａ  谷側傾斜部
３３ｂ  中傾斜部
３３ｃ  山側傾斜部
３３ｄ  突山部
３３ｅ  中腹谷部
３３ｆ  つなぎ部
３４    第二傾斜面
３４ａ  谷側傾斜部
３４ｂ  中傾斜部
３４ｃ  山側傾斜部
３４ｄ  突山部
３４ｅ  中腹谷部
３４ｆ  つなぎ部
３５    第三傾斜面
３５ａ  谷側傾斜部
３５ｂ  中傾斜部
３５ｃ  山側傾斜部
３５ｄ  突山部
３５ｅ  中腹谷部
３５ｆ  つなぎ部
３６    第四傾斜面
３６ａ  谷側傾斜部
３６ｂ  中傾斜部
３６ｃ  山側傾斜部
３６ｄ  突山部
３６ｅ  中腹谷部
３６ｆ  つなぎ部
３７ａ  第一平坦部
３７ｂ  第二平坦部
４      扉側部材
４１    扉側基体
４１ａ  固定部
４１ｂ  筒状部
４１ｃ  ビス受け部
４１ｅ  扉側収容部
４１ｆ  底面開口部
４２    扉側カム部材
４２ａ  圧入部
４２ｂ  鍔部
４２ｃ  カム部
４２ｄ  挿入穴
４２ｅ  リブ
４３    第一傾斜面
４３ａ  谷側傾斜部
４３ｂ  中傾斜部
４３ｃ  山側傾斜部
４３ｄ  つなぎ部
４４    第二傾斜面
４４ａ  谷側傾斜部
４４ｂ  中傾斜部
４４ｃ  山側傾斜部
４４ｄ  つなぎ部
４５    第三傾斜面
４５ａ  谷側傾斜部
４５ｂ  中傾斜部
４５ｃ  山側傾斜部
４５ｄ  つなぎ部
４６    第四傾斜面
４６ａ  谷側傾斜部
４６ｂ  中傾斜部
４６ｃ  山側傾斜部
４６ｄ  つなぎ部
４７ａ  第一係止山
４７ｂ  第二係止山
４７ｃ  先端
４８ａ  第一偏平面
４８ｂ  第二偏平面
４９ａ  第一平坦部
４９ｂ  第二平坦部
５      軸部材
６      扉保持部材
６１    板状パッキン
６１ａ  貫通孔
６２    筒状パッキン
６３    挟持片
６３ａ  貫通孔
６４    固定ビス
６５    ワッシャ
６６    カバー
Ａ      ベース側部材
Ｂ      扉側部材
Ｃ      軸部材
Ｄ      扉保持部材
Ｅ      ベース側カム部材
Ｅ１〜Ｅ４  （ベース側カム部材の）傾斜面
Ｆ      扉側カム部材
Ｆ１〜Ｆ４  （扉側カム部材の）傾斜面
Ｂ１    第一底部
Ｂ２    第二底部
Ｔ１    第一頂部
Ｔ２    第二頂部
Ｘ      扉
Ｙ      扉枠
Ｚ      戸当たり
【図１】
2020029647.tif 000003
【図２】
2020029647.tif 000004
【図３】
2020029647.tif 000005
【図４】
2020029647.tif 000006
【図５】
2020029647.tif 000007
【図６】
2020029647.tif 000008
【図７】
2020029647.tif 000009
【図８】
2020029647.tif 000010
【図９】
2020029647.tif 000011
【図１０】
2020029647.tif 000012
【図１１】
2020029647.tif 000013
【図１２】
2020029647.tif 000014
【図１３】
2020029647.tif 000015
【図１４】
2020029647.tif 000016
【図１５】
2020029647.tif 000017
【図１６】
2020029647.tif 000018
【図１７】
2020029647.tif 000019
【図１８】
2020029647.tif 000020
【図１９】
2020029647.tif 000021
【図２０】
2020029647.tif 000022
【図２１】
2020029647.tif 000023
【図２２】
2020029647.tif 000024
【図２３】
2020029647.tif 000025
【図２４】
2020029647.tif 000026
【図２５】
2020029647.tif 000027